(57)【要約】【課題】人や建物等の対象物から得られる多数の各種情報に基づいて、該対象物の状況に関する情報を取得しようとする利用者が各対象物の状況を短時間かつ直感的に把握できるように情報を表示する、情報表示方法を提供すること。【解決手段】人や建物などの対象物から得られる各種センサデータなどの情報に基づいて、各対象物の状況を幾何学的図形と該図形の大きさ、色および濃度などのアナログ量により表現し端末等に表示するようにした。【選択図】図１３
2008112245.tif 000002
【特許請求の範囲】
【請求項１】
人や建物などの対象物の状況を端末等に表示するための情報表示方法であって、
前記対象物から得られる複数の状況データに基づいて、該対象物に対応する幾何学的図形と該図形の図形パラメータを決定し、
前記決定された図形パラメータに基づいて幾何学的図形を前記端末の表示画面等に表示し、前記対象物の状況を表現することを特徴とする情報表示方法。
【請求項２】
前記対象物から得られる複数の状況データとは、前記人が携帯する携帯端末装置に附随する各種センサにより検知される各種データおよび前記建物に設置される各種センサにより検知される各種データであることを特徴とする請求項１記載の情報表示方法。
【請求項３】
前記端末装置の表示画面に表示される情報を閲覧する利用者の要求により、表示されている幾何学的図形が基とした複数の状況データを、二以上の組み合わせに分解してそれぞれ図形パラメータを決定し、該図形パラメータに基づいて二以上の幾何学的図形に詳細表示することを特徴とする請求項１記載の情報表示方法。
【請求項４】
前記端末装置の表示画面に表示されている情報を閲覧する利用者の要求により、表示されている複数の幾何学的図形の図形パラメータをまとめて新たな図形パラメータを決定し、該新たな図形パラメータに基づいて複数の幾何学的図形を一つの幾何学的図形にまとめて表示するという単純化表示をすることを特徴とする請求項１記載の情報表示方法。
【請求項５】
人や建物などの対象物の状況を表示する情報表示端末装置であって、
前記対象物から得られる複数の状況データに基づいて、該対象物に対応する幾何学的図形と該図形の図形パラメータを決定する図形パラメータ生成手段と、
前記決定された図形パラメータに基づいて該情報表示端末装置の表示画面に幾何学的図形を表示する表示制御手段と、
を備えることを特徴とする情報表示端末装置。
【請求項６】
前記図形パラメータ生成手段は、図形パラメータを決定するために、算出式や係数が規定された変換テーブルを参照することを特徴とする請求項５記載の情報表示端末装置。
【請求項７】
前記変換テーブルに規定された算出式や係数は、利用者の要求により自由に設定変更可能であることを特徴とする請求項６記載の情報表示端末装置。
【発明の詳細な説明】
【技術分野】
【０００１】
本発明は、人や建物等の対象物の状況を端末等に表示するための情報表示方法に関する。
【背景技術】
【０００２】
近年、携帯電話などの携帯端末が普及し、ネットワークの広域化および低廉化が進んでいる。
また、独り暮らしの老人の安否確認や、子どもの所在地の確認、さらには外出中の自宅の状況確認など、離れたところにいる人の状況や離れたところにある建物の状況を随時確認したい、という要求があり、近年ではそういった要求を実現したシステム、すなわち安否や状況を確認したい人や建物等に関する情報を遠隔の端末等に表示する安否情報表示システムがいくつか提案されている（例えば、特許文献１、特許文献２）。
【０００３】
さらに上述のようなシステムにおいて、特定の第三者に或る人の状況を提供する際に、該或る人が携帯する携帯端末の各種状態や該人が該携帯端末を操作している状態、携帯端末に搭載されたＧＰＳ（Global Positioning System）による位置情報など、携帯端末から得られる様々な情報に基づいて情報提供するシステムも提案されている（例えば、特許文献３）。また、特許文献４では、アバターと呼ばれるネットワーク上のコミュニケーションツールを用い、遠隔地にいる人の状況を表現することが開示されている。
【０００４】
しかしながら、従来の安否情報表示システムには、人や建物など多数の対象物から、それぞれ得られる複数以上の各種情報を統合して表示し、情報を閲覧する側の利用者が各対象物の状況を短時間かつ直感的に把握できるようなシステムは存在しなかった。
【特許文献１】特開２００３−１０８６７１号公報
【特許文献２】特開２００５−３１９８４号公報
【特許文献３】特開２００２−１５８６１０号公報
【特許文献４】特開２００５−３５４３８９号公報
【発明の開示】
【発明が解決しようとする課題】
【０００５】
上述のことから、本発明の課題は、人や建物等の対象物から得られる多数の各種情報に基づいて、該対象物の状況に関する情報を取得しようとする利用者が各対象物の状況を短時間かつ直感的に把握できるように情報を表示する、情報表示方法を提供することにある。
【課題を解決するための手段】
【０００６】
上述の課題を解決するために、本発明の情報表示方法では、人や建物などの対象物から得られる各種センサデータなどの情報（これを各種状況データという）に基づいて、該対象物の状況を幾何学的図形と該図形の大きさ、色および濃度などのアナログ量により表現し、端末等に表示するようにした。これにより、情報を閲覧する側の利用者は複数の対象物の状況を短時間かつ直感的に把握することが可能である。
【発明の効果】
【０００７】
本発明の情報表示方法によれば、人や建物など多数の対象物からそれぞれ得られる各種センサデータなどの情報（各種状況データ）に基づいて、該対象物の状況が幾何学的図形と該図形の大きさ、色合いや明るさなどで各対象物の状況がそれぞれ表示されるため、情報を閲覧する側の利用者は、一目で各対象の状況を把握することが可能であり、また全ての対象の状況を一度に把握することも可能である。よって、安否や状況を確認するための安否情報表示システムに効果的に応用することができる。
【発明を実施するための最良の形態】
【０００８】
以下、図面を参照して、本発明の実施の形態について説明する。
図１に、本発明の一実施例である、安否情報表示システムの全体構成を示す。
セントラルネットワーク１０５には、人や建物などの対象物の状況データを収集する安否サーバ１０４が設置されている。本実施例では、状況データとは、建物に設置される各種センサや人が携帯する携帯端末等に附随のセンサ等から取得される各種データのことをいうことにする。
【０００９】
安否サーバ１０４は、ＤＬＮＡ（Ｄｉｇｉｔａｌ  Ｌｉｖｉｎｇ  Ｎｅｔｗｏｒｋ  Ａｌｌｉａｎｃｅ）１０２などのホームネットワークに接続する各種センサが一定時間間隔に送信する状況データを、ゲートウェイ１１０、インターネット１０３を介して受信する。家１０１に設置され、ホームネットワークに接続する各種センサとは、例えば次のようなセンサがある。
【００１０】
・ドア／窓の開閉検知センサ（ドアや窓の開閉状態を検知するセンサ）
・ガス／煙検知センサ（ガス漏れや煙を検知するセンサ）
・電気ブレーカ／ガス栓状態センサ（電気ブレーカの状態やガス栓の状態を検知するセンサ）
・温度検知センサ（温度を検知するセンサ）
・電気使用量センサ（電気の使用量を検知するセンサ）
・ガス使用量センサ（ガスの使用量を検知するセンサ）
・水道使用量センサ（水道の使用量を検知するセンサ）
・通信ネットワーク使用量センサ（通信量を検知するセンサ）            など
【００１１】
また、安否サーバ１０４はセントラルネットワーク１０５に接続する携帯端末装置（状況データ通知端末装置）１０６、１０７、１０８に附随の各種センサから一定時間間隔で通知される状況データを受信する。以下、携帯端末装置１０６、１０７、１０８を状況データ通知端末と呼ぶことにする。状況データ通知端末装置に附随のセンサとは、例えば次のようなセンサがある。
【００１２】
・加速度、傾斜センサ（状況データ通知端末装置の移動の状態を検知するセンサ）
・ＧＰＳセンサ（状況データ通知端末装置の位置情報を検知するセンサ）
・温度、光、圧力センサ（状況データ通知端末装置の存在する環境の状態を検知するセンサ）
・入出力装置の動作状況検知センサ（カメラ、ＩｒＤＡ（Ｉｎｆｒａｒｅｄ  Ｄａｔａ  Ａｓｓｏｃｉａｔｉｏｎ）などの状況データ通知端末装置付随の入出力装置の動作状況を検知するセンサ）
・ＳＵＩＣＡ（東日本旅客鉄道株式会社の登録商標）その他のＩＣカード機能の動作状況センサ（ＩＣカード機能の動作状況を検知するセンサ）
・ボタン操作センサ（ボタン操作状況を検知するセンサ）
・通話、通信パケット状況センサ（通話の状況や、通信パケット量を測定するセンサ）
・電源センサ（状況データ通知端末装置の電源のＯＮ，ＯＦＦを検知するセンサ）
・ＦＭＣ（Ｆｉｘｅｄ  Ｍｏｂｉｌｅ  Ｃｏｎｖｅｒｇｅｎｃｅ）でのモード状況検知センサ（状況データ通知端末装置がセルラかＷＬＡＮのいずれかで通信を行っているかを検知するセンサ）
・積算通話時間センサ（状況データ通知端末装置での積算通話時間を測定するセンサ）
・電池残量センサ（状況データ通知端末装置の電池残量を検知するセンサ）
・テレビ視聴状況、テレビ機能操作状況（状況データ通知端末装置のテレビ機能の使用状況を検知するセンサ）          など
【００１３】
情報表示端末装置１０９は一定時間ごとに安否サーバ１０４に情報の要求を行う。すると安否サーバ１０４は、家１０１や状況データ通知端末装置１０６，１０７，１０８から取得した状況データを整理し、情報表示端末装置１０９に送信する。情報表示端末装置１０９では、安否サーバ１０４から受信した複数の状況データに基づいて、表示情報を生成し、表示する。表示情報の生成の具体的な説明については後述する。
【００１４】
ところで図１では、状況データ通知端末装置１０６、１０７、１０８および情報表示端末装置１０９は携帯電話を例示しているが、状況データ通知端末装置１０６〜１０８は携帯可能な情報端末装置であればいずれの形態でもよく、また情報表示端末装置１０９は情報を閲覧できる情報機器端末装置であればどのようなものでも構わないとする。
【００１５】
次に図２〜図４に安否サーバ１０４の詳細な構造や処理フローについて示し、また図５〜図９に状況データ通知端末装置１０６、１０７、１０８および情報表示端末装置１０９の詳細な構造や処理フローについて示す。
【００１６】
図２に安否サーバ１０４のハードウェア構成を示す。
安否サーバ１０４は、ネットワークに接続し、通信を制御するネットワークインタフェース２０１と、処理部であるＣＰＵ（Ｃｅｎｔｒａｌ  Ｐｒｏｃｅｓｓｉｎｇ  Ｕｎｉｔ）２０２、ＲＡＭ（Ｒａｎｄｏｍ  Ａｃｃｅｓｓ  Ｍｅｍｏｒｙ）などで構成される作業用メモリ２０３、ＲＯＭ（Ｒｅａｄ  Ｏｎｌｙ  Ｍｅｍｏｒｙ），ハードディスクなどで構成されるプログラム・データ格納メモリ２０４、画面への表示制御を行う表示部２０７、キーボード、マウスなどの入力デバイスからの入力信号を処理する入力部２０８、がデータバス２０６および制御線２０５でバス接続された構成をとる。
【００１７】
また、安否サーバ１０４の機能ブロック図を図３に示す。
図３において、全体制御部３０６は、通信処理部３０１、データ収集処理部３０２、データ保管部３０４、データ送信処理部３０３、端末管理テーブル３０５などの各部に対する全体的な制御をする。データ収集処理部３０２は、状況データ通知端末装置１０６〜１０８などを管理する端末管理テーブル３０５を参照しながら、通信処理部３０１経由で各状況データ通知端末装置１０６〜１０８や家１０１と通信し、それぞれからの状況データを集めデータ保管部３０４に記録する。
【００１８】
データ送信処理部３０３は、端末管理テーブル３０５を参照しながら通信処理部３０１経由で情報表示端末装置１０９と通信し、状況データを情報表示端末装置１０９へ送信する処理を行う。
【００１９】
端末管理テーブル３０５は、それぞれの情報表示端末装置１０９において参照が可能な状況データ通知端末装置１０６〜１０８や家１０１を定義しており、情報表示端末装置１０９からの要求に対してデータを送信してよいかどうかなどを判断するのに用いられる。
【００２０】
尚、図３に示す全体制御部３０６、通信処理部３０１、データ収集処理部３０２、データ送信処理部３０３は図２のプログラム・データ格納メモリ２０４に格納されているプログラムであり、ＣＰＵ２０２より作業用メモリ２０３等を用いて実行されるものである。また、データ保管部３０４や端末管理テーブル３０５はプログラム・データ格納メモリ２０４に格納されている。
【００２１】
次に図４に安否サーバ１０４のフローを示す。
まず、処理が開始されると、安否サーバ１０４への指示が「情報表示端末装置１０９からのデータ要求」なのか、「タイマー割り込みによる状況データ収集指示」なのか、「端末管理テーブルの更新指示」なのか、「その他の割り込み」なのかによって、処理は分岐する。
【００２２】
まず、指示が「情報表示端末装置１０９からのデータ要求」の場合、Ｓ４０１に進み、端末管理テーブル３０５を参照し、送るべき状況データをデータ保管部３０４から取り出す。そしてＳ４０２で取り出したデータを要求のあった情報表示端末装置１０９に送信する。
【００２３】
また、指示が「タイマー割り込みによる状況データ収集指示」の場合、Ｓ４０３に進み、端末管理テーブル３０５を参照し、状況データを収集すべき状況データ通知端末装置１０６〜１０８などに呼を設定する。Ｓ４０４で、状況データ通知端末装置１０６〜１０８や家１０１などから状況データを受信する。Ｓ４０５で、受信した状況データをデータ保管部３０４に格納する。Ｓ４０６で、対象となる全ての状況データ通知端末装置１０６〜１０８や家１０１などから状況データを収集したか否かが判断され、全てのデータ収集が終了していない場合にはＳ４０３に戻り、処理を繰り返す。
【００２４】
また、指示が「端末管理テーブル３０５の更新指示」の場合、Ｓ４０７にて指示の内容に従って端末管理テーブル３０５の内容を変更する。
また、指示が「その他の割り込みの場合」は、Ｓ４０８にて割り込み処理を行う。
以上図２〜図４に、本実施例の安否サーバ１０４について詳細に説明した。
【００２５】
次に、図５〜図９を用いて、本発明の状況データ通知端末装置１０６〜１０８および情報表示端末装置１０９について詳細に説明する。
図５に状況データ通知端末装置１０６〜１０８および情報表示端末装置１０９を実現する端末装置のハードウェア構成を示す。尚、図５は状況データ通知端末装置１０６〜１０８および情報表示端末装置１０９の一例として携帯電話の構成を示したものであり、本実施例を実現するのに同等の機能を備える装置であればいずれの装置であっても構わない。
【００２６】
状況データ通知端末装置１０６〜１０８および情報表示端末装置１０９は、ＣＰＵ５０１と、ＲＡＭ（Ｒａｎｄｏｍ  Ａｃｃｅｓｓ  Ｍｅｍｏｒｙ）などで構成される作業用メモリ５０２と、ＲＯＭ（Ｒｅａｄ  Ｏｎｌｙ  Ｍｅｍｏｒｙ）・ハードディスクなどで構成されるプログラム・データ格納メモリ５０３と、表示部（ＬＣＤ）５０５への表示情報の制御を行う表示制御部５０４と、入力ボタンなどの入力部５０７からの入力信号を処理する入力部５０６と、スピーカ、マイクなどの音声出力信号を制御する音声制御部５１５と、無線通信を制御する無線通信部５０８と、および各種センサ（カメラ５０９、光学センサ５１０、圧力センサ５１１、加速度センサ５１２、傾斜センサ５１３、温度センサ５１４）とがデータバス５１７、制御信号線５１６でバス接続された構成をとる。尚、図５に示した各種センサの例は一例であって、その他のセンサが含まれても構わない。
【００２７】
また、図５に示した状況データ通知端末装置１０６〜１０８に対応する機能ブロック図を図６に示す。
図６において、全体制御部６０１は、通信処理部６０４、動作状況集約部６０３、負荷／動作状況測定部６１７、各センサ６０５〜６１６などの各部に対して全体的な制御する。時計６０２は計時機能を備える部分である。
【００２８】
状況データ通知端末装置１０６ 〜１０８に附随のカメラの使用状況を検知するカメラセンサ６０５、状況データ通知端末装置１０６ 〜１０８の置かれている環境の明度を測定する光学センサ６０６、状況データ通知端末装置１０６ 〜１０８の置かれている環境の圧力を測定する圧力センサ６０７、状況データ通知端末装置１０６ 〜１０８の移動の際の加速度を測定する加速度センサ６０８、状況データ通知端末装置１０６ 〜１０８の移動の際の傾斜度を測定する傾斜センサ６０９、状況データ通知端末装置１０６ 〜１０８の置かれている環境の温度を測定する温度センサ６１０、状況データ通知端末装置１０６ 〜１０８の入力インタフェースであるタッチパネルの制御状態を検知するタッチパネル制御部６１１、状況データ通知端末装置１０６ 〜１０８の入力インタフェースであるテンキーの制御状態を検知するテンキー制御部６１２、ＣＰＵ６０１の負荷を測定するＣＰＵ負荷測定部６１３、状況データ通知端末装置１０６ 〜１０８における電話通話状況を検知する電話通信部６１４、状況データ通知端末装置１０６ 〜１０８における音楽視聴状況を検知するオーディオ制御部６１５、状況データ通知端末装置１０６ 〜１０８における表示部の表示制御状況を検知する液晶表示制御部６１６などのセンサの生データはそれぞれ負荷／動作状況測定部６１７で、負荷や動作状況を測定可能な情報に処理され、動作状況集約部６０３にて集約されて、通信処理部６０４を経由して安否サーバ１０４に送られる。
【００２９】
尚、図６の全体制御部６０１、負荷／動作状況測定部６１７、動作状況集約部６０３、通信処理部６０４は図５のプログラム・データ格納メモリ５０３に格納されているプログラムであり、ＣＰＵ５０１により作業用のメモリ５０２等を用いて実行されるものである。
【００３０】
また、図７に情報表示端末装置１０９の機能ブロック図を示す。全体制御部７０２は、通信処理部７０５、図形パラメータ算出部７０６、表示制御部７０３などの各部の全体的な制御を行う。セントラルネットワーク１０５などのネットワークや通信処理部７０５を経由して安否サーバ１０４から取得した各状況データ通知端末装置１０６〜１０８や家１０１からの状況データは、図形パラメータ算出部７０６にて変換テーブル７０７を参照して、幾何学的図形を表示するための図形パラメータに変換される。変換テーブル７０７は、状況データをどのように図形に変換するかの変換方法を予め規定したものである。
【００３１】
図８に変換テーブル７０７の一例を示す。図８には変換テーブル１（８０１）および変換テーブル２（８０２）が示されている。後述するが、情報表示端末装置１０９は、情報を閲覧する利用者の要求によって、それぞれ幾何学的図形で表示されている各対象物の状況をさらに複数の幾何学的図形をまとめ、複数の対象物の状況を一つの幾何学的図形で表示する「単純化表示」や、各対象物に対応する幾何学的図形を構成する各状況データをそれぞれ分解して表示する「詳細表示」を行う機能を備えている。情報表示端末装置１０９は、それぞれの表示、すなわち、「普通表示」、「単純化表示」、「詳細表示」などの表示の仕方に対応する変換テーブル７０７を備えており、図８の変換テーブル１（８０１）および変換テーブル２（８０２）はそれぞれ普通表示の変換テーブル、単純化表示の変換テーブルを例として示したものである。
【００３２】
図８において、各テーブルは図形パラメータを決定する算出式（図８における「図形パラメータ１１  算出式」、「図形パラメータ１２  算出式」、「図形パラメータ１３  算出式」・・・、「図形パラメータ２１  算出式」、「図形パラメータ２２  算出式」、「図形パラメータ２３  算出式」、・・・、「図形パラメータＴ１１  算出式」、「図形パラメータＴ１２  算出式」、・・・、「図形パラメータＴ１３  算出式」、・・・「図形パラメータＴ２１算出式」、・・・、「図形パラメータＴ２３算出式」、・・・）と、その算出式中に定義される係数（図８における「係数１１」、「係数１２」、「係数１３」、・・・「係数２１」、「係数２２」、「係数２３」、・・・、「係数Ｔ１１」、「係数Ｔ１２」、「係数Ｔ１３」、・・・「係数Ｔ２１」、「係数２２」、「係数２３」、・・・）とから構成される。変換テーブルを構成するそれぞれの算出式や係数は、利用者が自由に設定変更可能である。
【００３３】
さて、図７の説明に戻ると、変換テーブル７０７を用いて図形パラメータ算出部７０６が算出した図形パラメータに基づいて、表示制御部７０３が表示部（ＬＣＤ）７０４に情報を表示する。また、情報表示端末装置１０９を利用する利用者が変換テーブル７０７の設定をカスタマイズする場合などは、キーパッドやタッチパネルなどの入力部７０１から入力された入力信号が図形パラメータ算出部７０６に伝達され、変換テーブル７０７等に反映される。
【００３４】
尚、本実施例では状況データを図形パラメータに変換する図形パラメータ算出部７０６を情報表示端末装置１０９が備えるような構成を示したが、図形パラメータ算出部７０６は安否サーバ１０４が備える構成にしても構わないものとする。
【００３５】
次に図９に状況データ通知端末装置１０６〜１０８の処理フローを示す。
まず処理が開始されると、「規定時間間隔毎の状況データ収集割り込み」なのか、「安否サーバからの状況データ要求」なのか「その他の割り込み」なのかによって、処理は分岐する。
【００３６】
まず、「規定時間間隔毎の状況データ収集割り込み」の場合、Ｓ９０１で、各センサからセンサ情報を収集し、状況データとして記憶領域（図５の作業用メモリ５０２やプログラム・データ格納メモリ５０３など）に格納する。
また、「安否サーバからの状況データ要求」の場合、Ｓ９０２で、記憶領域から状況データを取り出し、安否サーバ１０４に送る。
また、「その他の割り込み」の場合、Ｓ９０３でその他の処理を行う。
【００３７】
尚、図８には図示していないが、状況データ通知端末装置１０６〜１０８の記憶領域は有限であるため、記憶領域がいっぱいになると古い状況データから順次削除していく。
また、図１０に情報表示端末装置１０９の処理フローを示す。
【００３８】
まず、処理が開始されると「以前（時刻指定）の状況データの取得指示」なのか、「状況データの更新指示」なのか、「詳細情報表示指示」なのか、「変換テーブル設定指示」なのか、「その他の割り込み」なのかで処理が分岐する。
【００３９】
まず、「以前（時刻指定）の状況データの取得指示」の場合、Ｓ１００１で安否サーバ１０４に接続し、予め決められた対象端末の、指定された時刻の状況データをダウンロードする。そして、Ｓ１００２で取得した状況データから、変換テーブル７０７を参照して図形パラメータを算出し、Ｓ１００３で算出した図形パラメータにより、表示部７０４へ図形表示を指示する。
【００４０】
また、「状況データ更新指示」の場合、Ｓ１００４で安否サーバ１０４へ接続し、予め決められた対象端末の状況データをダウンロードする。Ｓ１００５で、取得した状況データから、変換テーブル７０７を参照して図形パラメータを算出し、Ｓ１００６で、算出した図形パラメータにより表示部７０４へ図形表示を指示する。
【００４１】
また、「詳細情報表示指示」の場合、Ｓ１００７で、指示された詳細情報表示の内容により、変換テーブル７０７を参照して、対応する図形パラメータを算出する。そして、Ｓ１００８で、算出した図形パラメータにより表示部７０４へ図形表示を指示する。
【００４２】
Ｓ１００３、Ｓ１００６，Ｓ１００８で、それぞれ表示処理が行われると、ダウンロードされたデータは作業用メモリ５０２等から削除される（Ｓ１０１１）。
また、「変換テーブル設定指示」の場合、Ｓ１００９で変換テーブル設定指示の内容により変換テーブルの内容を変更する。
【００４３】
また「その他の割り込み」の場合、Ｓ１０１０でその他の処理を行う。
以上図５〜図９に、本実施例の状況データ通知端末装置１０６〜１０８および情報表示端末装置１０９の詳細について説明した。
【００４４】
このように本実施例の安否情報表示システムでは、状況データ通知端末装置１０６〜１０８や家１０１から状況データが安否サーバ１０４に通知され、安否サーバ１０４で取得された状況データを整理し、情報表示端末装置１０９にて安否サーバ１０４から取得した状況データを図形パラメータに変換して、情報表示端末装置１０９の表示部に幾何学的図形として複数の状況データをまとめて表示する構成であるが、ここで、各装置間で状況データ等をやりとりする際のデータ構造について説明しておく。
【００４５】
まず、図１１に状況データ通知端末装置１０６〜１０８や家１０１から安否サーバ１０４に送られる状況データの構造を示す。
状況データは、装置を識別するための端末識別ＩＤ（１１０１）、該データを取得した時刻（１１０２）、状況データを構成するデータ数（１１０３）、各センサに対応する状況データ１−１〜１−Ｎ（１１０５〜１１０Ｎ）から成る。尚、各センサに対応する状況データには、該データをどの情報表示端末装置１０９に情報を提供可能か否かを設定する、表示許可レベルをそれぞれ設定するような構成となっている。
【００４６】
図１１に示す状況データが、一定時間間隔で安否サーバ１０４に通知される。安否サーバ１０４では受信した図１１の状況データを、随時データ保管部３０４に格納していく。そして、情報表示端末装置１０９が安否サーバ１０４に状況データを要求してくると、図１２に示すような、図１１に示した各端末装置からの状況データを複数結合した形態にして、安否サーバ１０４が情報表示端末装置１０９に送信する。
【００４７】
以上のように、本実施例の安否情報表示システムの構成、動作等について詳細に説明した。
次に、上述の安否情報表示システムにおける情報表示端末装置１０９での情報表示について、更に詳しく説明する。
【００４８】
図１３に、本実施例における情報表示端末装置の表示画面の一例を示す。
本実施例では幾何学的図形として円を用いる。該幾何学的図形は、各対象物から得られた複数の状況データにより決定される図形パラメータに基づいて表示される。図形パラメータとは、円の大きさ（半径）、円の色、濃度（グラデーション）、円の表示位置などの幾何学図形の表示に関わる情報ことをいう。また、時間指標１３００をタッチパネル等で操作することにより、以前の状態を表示することも可能である。
【００４９】
図１３の表示画面をもとに、幾何学的図形の表示の際の図形パラメータの決定等について詳細に説明する。尚、以下の説明の際に参照する図１４、１５、図１８、図１９、図２０、図２１などの円の濃度についてだが、実際は半径に応じて無段階で濃度を変化させるように表示画面等に表示されるが、本明細書の図面作成の都合により３段階の濃度変化で描いた。また、円の色についてだが、点によるマスクが赤色を表し、網掛けによるマスクが青色を表している。例えば、紫を表現したい場合は赤色を示す点マスクと青色を示す網掛けマスクを重ねるようにして描画している。
【００５０】
図１３の家の部分に表示される円１３０１、円１３０２、円１３０３、円１３０４はそれぞれ順に、（１）電気、水道に関する状況、（２）ガスに関する状況、（３）戸締りに関する状況、（４）通信回線使用状態、気温に関する状況を示しており、図１３の人（お父さん、太郎、花子）の部分に表示される円１３０５、１３０６、１３０７は（５）それぞれの人の状況を示している。
【００５１】
まず、家の部分に示される（１）〜（４）の状況を示す円について説明する。尚、以下の係数Ｋ１〜Ｋ３８、Ｐ１〜Ｐ５は見やすい表示にするための係数であり、自由に設定変更可能である。また、以下の説明で図形パラメータである円の大きさ、円の色、濃度、位置の各パラメータは、ＡＣＴ，ＭＯＤＥ，ＮＯＵＤＯ，ＩＣＨＩと記載することにする。
【００５２】
（１）電気、水道に関する状況表示
円の大きさ（ＡＣＴ）は、電気、水道の使用状況を表し、次の（式１）で決定される。
ＡＣＴ＝（ＤＥＮＫＩ＋ＳＵＩＤＯ）×Ｋ３０＋Ｐ１          （式１）
ここで
ＤＥＮＫＩ：電気が使われているか否かを示す値で、安否サーバから取得された状況データにより決定される。
ＤＥＮＫＩ＝１：使われている／０：使われていない
ＳＵＩＤＯ：水道使われているか否かを示す値で、安否サーバから取得された状況データにより決定される。
ＳＵＩＤＯ＝１：使われている／０：使われていない
円の色（ＭＯＤＥ）は、電気が使われているのか、水道が使われているのかを表し、次の（式２）で決定される。
【００５３】
ＭＯＤＥ＝（Ｒ，Ｇ，Ｂ）×ＮＯＵＤＯ          （式２）
ここで、（Ｒ，Ｇ，Ｂ）とは、コンピュータ等の情報処理装置で色を表現する際に用いられる表記法の一つで、Ｒ，Ｇ，Ｂはそれぞれ赤、緑、青の値（８ビット）で（Ｒ，Ｇ，Ｂ）の要素を示す。
（式２）において、
Ｒ＝１：電気が使われている／０：使われていない
Ｇ＝０
Ｂ＝１：水道が使われている／０：使われていない
ＮＯＵＤＯ：（式３）により決定される円の中心から外周にむかって、色の濃度を表す係数である。
【００５４】
ＮＯＵＤＯ＝（Ｋ３１×ＤＥ×ｒ）＋（Ｋ３２×ＳＵ×ｒ×ｒ）          （式３）
ここで、
ＤＥ：電気使用量で、安否サーバから取得した状況データが代入される
ＳＵ：水道使用量で、安否サーバから取得した状況データが代入される
ｒ：円の中心からの距離（半径座標）
以上のように図形パラメータは決定され、家での電気や水道の使用に関する状況が円により表現される。
【００５５】
具体例を図１４に示した。
まず図１４（ａ）では、電気だけを使用していることを示している。電気だけ使用しているため円は赤で表示される。
図１４（ｂ）では水道だけを使用していることを示している。水道だけ使用しているため円は青で表示される。
【００５６】
図１４（ｃ）では、電気と水の両方を使用していることを示している。図１４（ｃ）は電気と水の両方を使用しているため、使用量を表す円の大きさは大きくなり、また円の色も図１４（ａ）と図１４（ｂ）の色が混じった紫色で表示されている。
また図１４（ｄ）では、電気のみを使用しているが電気の使用量が多いため図１４（ａ）と比べて濃度が濃い赤色の円で表示されている。
また図１４（ｅ）は電気と水の両方を使用しているが、電気の使用量が多いため電気使用量が多いことを示す赤い濃度が強くなり、赤紫色で表示されている。
【００５７】
このように、情報を見る利用者は、円の大きさや濃度で電気や水道の使用量が多いか少ないかを把握することができ、また円の色で水道が使用されているのか、電気が使用されているのか、を直感的に把握することが可能である。例えば、文字情報で水道使用量が１５立方メートル、電気使用量３０ｋＷｈなどと表示されるよりもはるかに短い時間のうちに電気や水道の使用量が多いのか、少ないのかなどを把握することが可能である。
【００５８】
次に（２）ガスに関する状況表示、について説明する。
円の大きさ（ＡＣＴ）は、ガスの使用状況を表し、次の（式４）で決定される。
ＡＣＴ＝ＧＡＳ×Ｋ３３＋Ｐ２          （式４）
ここでＧＡＳはガスの元栓が開いているか閉じているかを示す値で、安否サーバから取得された状況データにより決定される。
【００５９】
ＧＡＳ  ＝１：ガスの元栓が開いている／０：閉じている
円の色（ＭＯＤＥ）は、ガスを消費しているか否かを表し、次の（式５）で決定される。
ＭＯＤＥ＝（Ｒ，Ｇ，Ｂ）×ＮＯＵＤＯ          （式５）
ここで、
Ｒ＝１：ガスを実際に使用している／０：使用していない
Ｇ＝０
Ｂ＝０
ＮＯＵＤＥ：（式６）により決定される円の中心から外周に向かって、色の濃度を表す係数である。
ＮＯＵＤＥ＝Ｋ３４×ＧＡ×ｒ          （式６）
ここで
ＧＡ：ガスの現在の使用量で、安否サーバから取得した状況データが入力される
ｒ：円の中心からの距離（半径座標）
【００６０】
以上のように図形パラメータは決定され、家でのガスの使用に関する状況が円により表現される。具体例を図１５に示した。
【００６１】
図１５（ａ）はガスの元栓が開いているが、ガスは実際には使用されていないことを示している。（式５）でＲ＝０となるため、色がなく白い円で表示されている。
図１５（ｂ）はガスが実際に使用されていることを示している。円中心に向かって濃度の低くなる赤い円が描かれている。
図１５（ｃ）は多量のガスが使用されていることを示している。（式６）でガスの使用量が多いことから、図１５（ｂ）の円よりも濃度が濃い赤色円で、円中心に向かって濃度がだんだん薄くなる円が描かれている。
【００６２】
このように、情報を見る利用者は円が表示されるか否かで、ガスの元栓が締まっているか開いているかを把握することができ、また円の色の濃度でガスの使用量が多いか、少ないかを把握することが可能である。文字情報等で表示されるより、直感的に、早く状況を認識することが可能である。
【００６３】
次に（３）戸締りに関する状況表示、について説明する。
円の大きさ（ＡＣＴ）は、ドアや窓が開いているかどうかを表し、次の（式７）で決定される。
【００６４】
ＡＣＴ＝Ｋ３５×ＤＯＯＲ＋Ｐ３          （式７）
ここで、ＤＯＯＲはドアが開いているか閉じているかを示す値であり、安否サーバから取得された状況データにより決定される。
【００６５】
ＤＯＯＲ＝１：ドアが開いている／０：閉じている
円の色（ＭＯＤＥ）は、ドア、窓の区別を表す
ＭＯＤＥ＝（Ｒ，Ｇ，Ｂ）
ここで、
Ｒ＝２５５：１階ドアが開いている／０：閉じている
Ｇ＝２５５：1階窓が開いている／０：閉じている
Ｂ＝２５５：２階窓が開いている／０：閉じている
以上のように図形パラメータは決定され、家の戸締りに関する状況が円により表現される。具体例を図１６に示した。
【００６６】
図１６（ａ）は、赤い円が表示されており、１階ドアが開いていることを示している。
図１６（ｂ）は、紫の円が表示されており、１階ドアと、２階窓が開いていることを示している。
【００６７】
このように情報を見る利用者は、円が表示されるか否かで、戸締りがなされていないドアがあるか否かを把握することができ、また表示された円をみることでどの場所の戸締りがされていないかも短時間のうちに把握することが可能である。
【００６８】
次に（４）通信回線使用状態、気温に関する状況、について説明する。
円の大きさ（ＡＣＴ）は、通信をしているか否かを表し、次の（式８）で決定される。
ＡＣＴ＝Ｋ３６×ＣＯＭ＋Ｐ４          （式８）
ここで、ＣＯＭは、通信をしているか否かを示す値で、安否サーバから取得された状況データにより決定される。
【００６９】
ＣＯＭ＝１：通信をしている／０：通信をしていない
円の色（ＭＯＤＥ）は家内の気温を表し、次の（式９）で決定される。
ＭＯＤＥ＝（Ｒ，Ｇ，Ｂ）          （式９）
Ｒ＝Ｋ３７×気温＋Ｋ３８
Ｇ＝０
Ｂ＝Ｋ３７×気温×（−１）＋Ｋ３８
ここで、「気温」は安否サーバから取得された状況データが入力される。
【００７０】
これにより円は気温が低いと青色に、気温が高いと赤色に表示される。
以上のように図形パラメータは決定され、通信回線仕様状態および気温に関する状況が円により表現される。具体例を図１７に示した。図１７を見る利用者は、円が表示されていることから通信回線が使用されていることがわかり、また円の色は紫色であることから気温がほどよい気温であることがわかる。
【００７１】
次に（５）それぞれの人（図１３の例ではお父さん、太郎、花子）の状況表示について説明する。
それぞれの人の状況は、上述のようにそれぞれの人が携帯する携帯電話などの情報携帯端末装置で状況データを取得して表示する。
【００７２】
図１３で例えば「お父さん」の表示領域内に表示される円の大きさ（ＡＣＴ）、色（ＭＯＤＥ）、表示位置などの図形パラメータは以下のように決定される。
円の大きさ（ＡＣＴ）は、携帯端末を人が活発に操作しているか否かを示し、次の（式１０）で決定される。
【００７３】
ＡＣＴ＝Ｋ１×ＣＡＭ＋Ｋ２×ＩＲ＋Ｋ２×ＩＣ＋Ｋ３×Ｔ＋Ｋ４×ＯＰＴ＋Ｋ５×ＰＲＥＳＳ＋Ｋ６×ＢＵＴＴＯＮ＋Ｋ７×ＰＡＣＫＥＴ＋Ｐ５          （式１０）
ここで、ＣＡＭ，ＩＲ，ＩＣ，Ｔ，ＯＰＴ，ＰＲＥＳＳ，ＢＵＴＴＯＮ，ＰＡＣＫＥＴは安否サーバから取得された状況データが入力されるものである。
【００７４】
ＣＡＭ＝１：カメラＯＮ／０：カメラＯＦＦ
ＩＲ＝単位時間当たりの赤外通信装置ＩｒＤＡの通信量（赤外線通信装置の動作状況）
ＩＣ＝単位時間当たりのＩＣカード機能の通信量（ＩＣカード機能の動作状況）
Ｔ＝温度（温度計の値）
ＯＰＴ＝光センサの受光量
ＰＲＥＳＳ＝圧力センサの加圧値
ＢＵＴＴＯＮ＝単位時間あたりのボタン操作数
ＰＡＣＫＥＴ＝単位時間当たりの通信パケット量
これにより、人が情報携帯端末装置を活発に操作していれば円の半径が大きくなり、そうでない場合には円の半径は小さくなるため、人の活動状況を把握することが可能である。
【００７５】
また、円の色（ＭＯＤＥ）は、携帯端末を用いた通信状況を示し、次の（式１１）で決定される。
ＭＯＤＥ＝（Ｒ，Ｇ，Ｂ）          （式１１）
但し、Ｒ＝ＮＯＵＤＯ×Ｋ１０×２５５×ＣＯＮＮＥＣＴ
Ｇ＝ＮＯＵＤＯ×Ｋ１１×２５５×ＯＮ
Ｂ＝ＮＯＵＤＯ×Ｋ１２×２５５×ＦＭＣ
ここで、ＣＯＮＮＥＣＴ，ＯＮ，ＦＭＣは安否サーバから取得された状況データにより決定されるものである。
【００７６】
ＣＯＮＮＥＣＴ＝０：通信中／１：非通信中
ＯＮは端末装置自体の電源が入っているか否かを示し、ここでは常にＯＮ＝０
ＦＭＣは、セルラとＷＬＡＮの二つの無線通信インタフェースを持つ情報携帯端末において、いずれのインタフェースで通信を行っているかを示す。
【００７７】
ＦＭＣ＝０：ＷＬＡＮにて通信中／１：セルラにて通信中。
ＮＯＵＤＯは積算通話時間や電池残量を表し、次の（式１２）で決定される。ＮＯＵＤＯは円の中心から外周に向かって変化する濃度を決定する。
【００７８】
ＮＯＵＤＯ＝（Ｋ２０×Ｔ×ｒ）＋（Ｋ２１×Ｈ×ｒ×ｒ）          （式１２）
ここで、
Ｔ：積算通話時間で、安否サーバから取得された状況データが入力される
Ｈ：情報携帯端末装置の電池残量で、安否サーバから取得された状況データが入力される。
ｒ：円の中心からの距離（半径座標）
【００７９】
これにより、表示される円の色の濃度が中心から半径に向かう濃度変化から、人が携帯情報端末装置で通話などの通信をしている頻度や電池の残量を把握することができる。
また、円が表示される位置は、情報携帯端末装置等を携帯する人の移動が大きいか否かを表し、次の（式１３）で決定される。
ＩＣＨＩ（ｘ，ｙ）＝（Ｋ２１×ＡＣＣ，Ｋ２２×ＫＥ）          （式１３）
ここで
ＡＣＣ：加速度センサの値で、安否サーバから取得された状況データが入力される。
ＫＥ：傾斜センサの値で、安否サーバから取得された状況データが入力される。
【００８０】
これにより、加速度センサや傾斜センサの値が大きいと（ｘ，ｙ）のそれぞれの値が大きくなるため円は表示領域の右上に表示されることになる。これにより、表示領域内の円の位置により、人の移動が大きいか否かを瞬時に把握することが可能である。
【００８１】
以上のように図形パラメータは決定され、人の状況が円により表現される。具体例を図１８に示した。
図１８（ａ）は、半径が小さめ、円の色が青で、その濃度が急激に変化しており、該円は表示領域の右上あたりに表示されているものを示している。これにより、この情報携帯端末装置を携帯している人は該装置をあまり使用しておらず、ＦＭＣによる通信をしていて、該端末が激しく動いていることが分かる。
【００８２】
また、図１８（ｂ）は、半径が大きめ、円の色が赤で、その濃度が穏やかに変化しており、該円は表示領域の左下あたりに表示されているものを示している。これにより、対象となる人は、セルラ通信をする情報携帯端末装置を活発に操作しており、該端末装置自体は物理的にあまり移動していないことがわかる。
【００８３】
以上のように図１４〜図１８を用いて、表示する幾何学的図形のための図形パラメータの決定方法について詳細に説明したが、図形パラメータを決定する際の算出式（式１）〜（式１３）や各係数は図７の変換テーブル７０７に格納されているものである。すなわち、例えば図８において、変換テーブル１（８０１）の上から順に、「図形パラメータ１１  算出式」は「（式１）」、「図形パラメータ１２  算出式」は「（式２）」・・・「係数１１」は「Ｋ１」、「係数２」は「Ｋ２」・・・、「図形パラメータ２１  算出式」は「（式４）」、「図形パラメータ２２  算出式」は「（式５）」・・・に対応する。
【００８４】
更に、本実施例の情報表示端末装置１０９での情報表示について、対象物毎に対応して描かれる幾何学的図形を更に複数まとめて表示すること（単純化表示）や、対象物毎に複数の状況データをまとめて表現している幾何学的図形に対して、状況データ毎に幾何学的図形で表現するというように幾何学的図形を分解して表示するようにすること（詳細表示）や、幾何学的図形を構成する状況データを文字情報にて詳細に表示すること（文字情報による詳細表示）も可能である。図１９〜図２１に本実施例における単純化表示および詳細表示の具体例を示す。
【００８５】
図１９（ａ）では、複数の対象人（お父さん、太郎、次郎、花子）に関する状況が画面に表示されており、各円の表示が小さくなってしまい、見づらい。そこで、図１９（ｂ）に示すように、各人に対応する円をまとめ、家族全体を一つの円で表現する、単純化表示の例を示している。また、同様に家についても、電気や水道、ガスなどの状況をすべてまとめて一つの円で表現している。これにより画面上の表示情報が細かくなく、見易くすることができる。
【００８６】
複数の幾何学的図形をまとめる場合、円の大きさ、色、濃度変化などの図形パラメータの決定は個々の円の各パラメータを足し合わせて決定してもよいし、利用者がより見やすくなるように、各パラメータに適当な係数を乗じて足し合わせて決定してもよい。尚、このような複数の幾何学的図形をまとめて表示するための図形パラメータを決定する算出式や係数は、変換テーブル７０７に格納されており、上述の変換テーブル８０１と各式との対応の説明と同様に、例えば変換テーブル２（８０２）などに各算出式や係数が格納されている。そのような変換テーブルに基づいて、図形パラメータ算出部７０６にて図形パラメータが算出され、幾何学的図形が表示部７０４に表示される。
【００８７】
また、一つの幾何学的図形を構成する複数の情報をそれぞれ分解して、詳細に表示したい場合には、タッチパネルの画面で該当する図形を指定したり、またはボタンを操作するなどして図形を指定することで、該幾何学的図形を構成する各情報をそれぞれ対応する幾何学的図形として表示することが可能である。この詳細表示の様子を図２０に示した。図２０では、図２０（ａ）の家族の円を指定すると、図２０（ｂ）のように家族の各メンバーの状況を表示する円が表示されるようになったところを示している。
【００８８】
更に、本実施例の情報表示端末装置１０９での情報表示においては、利用者が数値データなど、より具体的な情報を得たい場合に、各対象物に対応する各幾何学的図形を指定すれば該幾何学的図形を構成する状況データの各値を文字情報により得ることが可能である。図２１はそのような文字情報による詳細表示の例を示している。図２１（ａ）において「次郎」の円を指定すると、図２１（ｂ）のように次郎の円を構成する状況データの数値データが一覧となって表示される。この場合の情報表示端末装置１０９での処理は、図形パラメータ算出部７０６が、状況データを文字情報（または数値情報）のまま表示制御部７０３に伝達し、表示制御部７０３が表示部７０４に表示するように処理される。
【００８９】
このように本実施例の情報表示は、対象物ごとに複数の状況データをまとめ、利用者が短時間に把握できるように表示することを主目的とはしているが、利用者の必要に応じて、更に複数の対象物の状況データをまとめて単純化して表示することや、または、まとめられて表示されている情報を分解して詳細表示することや、文字情報で詳細な情報を表示することも可能としており、常に利用者の要求にあった情報提供を可能としている。
【００９０】
以上のように本発明の実施例について詳細に説明したが、本発明は以上に述べたことに限定されるものではない。すなわち、上述の説明では、図形パラメータ算出部は情報表示端末装置１０９が備える構成としたが、該部分を安否サーバ１０４が備える構成であっても構わないし、また、上述の説明では情報表示端末装置１０９が携帯電話などの情報携帯端末装置で実現される構成としたが、情報の閲覧できる端末装置であればいずれのものでも構わない。また、情報表示端末装置に表示する幾何学的図形を円形としたが、他の図形であってもよく、更に、表示情報は幾何学的図形に限定されず利用者の認識が容易な図形、模様を用いてもよい。また、図形パラメータを決定する各算出式や係数をそれぞれ示したが、これらも上述の記述に限定されるものではなく、利用者の見易さ、都合に合わせてそれぞれ変更しても構わない。また、まとめて表示する情報として、例えば電気と水道の状況データをまとめて一つの円として表示するような説明をしたが、利用者の都合に合わせてどのような状況データの組み合わせをまとめるようにしても構わない。
【００９１】
このように本発明は上述したことに限定されるものではなく、その他、本発明の要旨を逸脱しない範囲で様々の構成、または形状をつくることができることはいうまでもない。
本発明の情報表示方法は、人や建物などの対象物から得られる各種センサデータなどの情報に基づいて、該対象物の状況を幾何学的図形と該図形の大きさ、色および濃度などのアナログ量により表現し表示することを特徴とする。これにより、情報を閲覧する側の利用者は複数の対象物の状況を短時間かつ直感的に把握することが可能である。
【００９２】
（付記１）人や建物などの対象物の状況を端末等に表示するための情報表示方法であって、
前記対象物から得られる複数の状況データに基づいて、該対象物に対応する幾何学的図形と該図形の図形パラメータを決定し、
前記決定された図形パラメータに基づいて幾何学的図形を前記端末の表示画面等に表示し、前記対象物の状況を表現することを特徴とする情報表示方法。
（付記２）前記図形パラメータとは、前記幾何学図形の大きさ、色および濃度などからなることを特徴とする付記１記載の情報表示方法。
（付記３）前記対象物から得られる複数の状況データとは、前記人が携帯する携帯端末装置に附随する各種センサにより検知される各種データおよび前記建物に設置される各種センサにより検知される各種データであることを特徴とする付記１記載の情報表示方法。
（付記４）前記携帯端末装置附随の各種センサとは該携帯端末装置の備えるカメラの動作状況、赤外線通信装置の動作状況、ＩＣカード機能の使用状況、単位時間当たりのボタン操作数、単位時間当たりの通信パケット量、積算通話時間、電池残量、該携帯端末装置内の加速度や傾斜度、および該携帯端末装置の位置を計測するセンサを含み、
前記建物に設置される各種センサとは、該建物にて使用される電気、ガス、水道、通信の使用量を計測するセンサおよび戸締りの状態を検知するセンサを含むことを特徴とする付記３記載の表示方法。
（付記５）前記端末装置の表示画面に表示される情報を閲覧する利用者の要求により、表示されている幾何学的図形の基とした複数の状況データを、二以上の組み合わせに分解してそれぞれ図形パラメータを決定し、該図形パラメータに基づいて二以上の幾何学的図形に詳細表示することを特徴とする付記１記載の情報表示方法。
（付記６）前記端末装置の表示画面に表示されている情報を閲覧する利用者の要求により、表示されている複数の幾何学的図形の図形パラメータをまとめて新たな図形パラメータを決定し、該新たな図形パラメータに基づいて複数の幾何学的図形を一つの幾何学的図形にまとめて表示するという単純化表示をすることを特徴とする付記１記載の情報表示方法。
（付記７）前記端末装置の表示画面に表示される情報を閲覧する利用者の要求により、表示されている幾何学的図形の基とした複数の状況データを文字情報にて詳細表示することを特徴とする付記１記載の情報表示方法。
（付記８）人や建物などの対象物の状況を表示する情報表示端末装置であって、
前記対象物から得られる複数の状況データに基づいて、該対象物に対応する幾何学的図形と該図形の図形パラメータを決定する図形パラメータ生成手段と、
前記決定された図形パラメータに基づいて該情報表示端末装置の表示画面に幾何学的図形を表示する表示制御手段と、
を備えることを特徴とする情報表示端末装置。
（付記９）前記対象物から得られる複数の状況データとは、前記人が携帯する携帯端末装置に附随する各種センサにより検知される各種データおよび前記建物に設置される各種センサにより検知される各種データであることを特徴とする付記８記載の情報表示端末装置。
（付記１０）更に、前記図形パラメータ生成手段は、前記情報表示端末装置で情報を閲覧する利用者の要求により、表示されている幾何学的図形の基とした複数の状況データを、二以上の組み合わせに分解してそれぞれ図形パラメータを決定し、前記表示制御手段が該決定された図形パラメータに基づいて二以上の幾何学的図形を表示することを特徴とする付記８記載の情報表示端末装置。
（付記１１）更に、前記図形パラメータ生成手段は、前記情報表示端末装置で情報を閲覧する利用者の要求により、表示されている複数の幾何学的図形の図形パラメータをまとめて新たな図形パラメータを決定し、前記表示制御手段が該決定された図形パラメータに基づいて複数の幾何学的図形を一つの幾何学的図形に纏めて表示することを特徴とする付記８記載の情報表示端末装置。
（付記１２）更に、前記図形パラメータ生成手段は、前記情報表示端末装置で情報を閲覧する利用者の要求により、表示されている幾何学的図形の基とした複数の状況データを文字情報のまま前記表示制御手段に伝達し、該表示制御手段は複数の状況データを文字情報にて表示することを特徴とする付記８記載の情報表示端末装置。
（付記１３）前記図形パラメータ生成手段は、図形パラメータを決定するために、算出式や係数が規定された変換テーブルを参照することを特徴とする付記８記載の情報表示端末装置。
（付記１４）前記変換テーブルに規定された算出式や係数は、利用者の要求により自由に設定変更可能であることを特徴とする付記１３記載の情報表示端末装置。
【図面の簡単な説明】
【００９３】
【図１】安否情報表示システムの全体構成の一例を示す図である。
【図２】安否サーバのハードウェア構成を示す図である。
【図３】安否サーバの機能ブロックを示す図である。
【図４】安否サーバのフローを示す図である。
【図５】状況データ通知端末装置または情報表示端末装置のハードウェア構成を示す図である。
【図６】状況データ通知端末装置の機能ブロックを示す図である。
【図７】情報表示端末装置の機能ブロックを示す図である。
【図８】変換テーブルの構成を示す図である。
【図９】状況データ通知端末装置の処理フローを示す図である。
【図１０】情報表示端末装置の処理フローを示す図である。
【図１１】状況データ通知端末装置から安否サーバに送られる状況データの構造を示す図である。
【図１２】安否サーバから情報表示端末装置送られるデータ構造を示す図である。
【図１３】情報表示端末装置の表示画面の一例を示す図である。
【図１４】円１（図１３の１３０１）の表示例を示す図であり、（ａ）は電気だけを使用している状況を示しており、（ｂ）は水道だけを使用して状況を示しており、（ｃ）は電気と水道を使用している状況を示しており、（ｄ）は電気を沢山使用している状況を示しており、（ｅ）は電気と水道を使用し、電気を沢山使用している状況を示している。
【図１５】円２（図１３の１３０２）の表示例を示す図であり、（ａ）はガスの元栓が開いている状況を示しており、（ｂ）はガスを使用している状況を示しており、（ｃ）はガスを沢山使用している状況を示している。
【図１６】円３（図１３の１３０３）の表示例を示す図であり、（ａ）は１階ドアが開いている状況を示しており、（ｂ）は１階ドアと２階窓が開いている状況を示している。
【図１７】円４（図１３の１３０４）の表示例を示す図である。
【図１８】人に関する円（図１３の１３０５、１３０６、１３０７）の表示例を示す図である。
【図１９】単純化表示の例を示す図である。
【図２０】詳細表示の例を示す図である。
【図２１】文字での詳細表示の例を示す図である。
【符号の説明】
【００９４】
１０１      家
１０２      ＤＬＮＡ
１０３      インターネット
１０４      安否サーバ
１０５      セルラネットワーク
１０６、１０７、１０８      状況データ通知端末装置
１０９      情報表示端末装置
１１０      ゲートウェイ
２０１      ネットワークインタフェース
２０２      ＣＰＵ
２０３      作業メモリ
２０４      プログラム・データ格納メモリ
２０５      制御線
２０６      データバス
２０７      表示部
２０８      入力部
２０９      時計
３０１      通信処理部
３０２      データ収集処理部
３０３      データ送信処理部
３０４      データ保管部
３０５      端末管理テーブル
５０１      ＣＰＵ
５０２      作業メモリ
５０３      プログラム・データ格納メモリ
５０４      表示制御部
５０５      表示部
５０６      入力制御部
５０７      入力部
５０８      通信部
５０９      カメラ
５１０      光学センサ
５１１      圧力センサ
５１２      加速度センサ
５１３      傾斜センサ
５１４      温度センサ
５１５      音声制御部
５１６      制御信号線
５１７      データバス
６０１      全体制御部
６０２      時計
６０３      動作状況集約部
６０４      通信処理部
６０５      カメラ
６０６      光学センサ
６０７      圧力センサ
６０８      加速度センサ
６０９      傾斜センサ
６１０      温度センサ
６１１      タッチパネル制御部
６１２      テンキー制御部
６１３      ＣＰＵ負荷測定部
６１４      電話通信部
６１５      オーディオ制御部
６１６      液晶表示制御
６１７      負荷／動作状況測定部
７０１      入力部
７０２      全体制御部
７０３      表示制御部
７０４      表示部
７０５      通信処理部
７０６      図形パラメータ算出部
７０７      変換テーブル
【図１】
2008112245.tif 000003
【図２】
2008112245.tif 000004
【図３】
2008112245.tif 000005
【図４】
2008112245.tif 000006
【図５】
2008112245.tif 000007
【図６】
2008112245.tif 000008
【図７】
2008112245.tif 000009
【図８】
2008112245.tif 000010
【図９】
2008112245.tif 000011
【図１０】
2008112245.tif 000012
【図１１】
2008112245.tif 000013
【図１２】
2008112245.tif 000014
【図１３】
2008112245.tif 000015
【図１４】
2008112245.tif 000016
【図１５】
2008112245.tif 000017
【図１６】
2008112245.tif 000018
【図１７】
2008112245.tif 000019
【図１８】
2008112245.tif 000020
【図１９】
2008112245.tif 000021
【図２０】
2008112245.tif 000022
【図２１】
2008112245.tif 000023